(57)【特許請求の範囲】
【請求項１】
内部に高温あるいは低温の流体を流通させる管部材を備え、ほぼ鉛直に配置される冷暖房パネルと、
内部に高温あるいは低温の流体を流通させる管部材を備え、床材の下に配置される床冷暖房装置とを備えた冷暖房システムであって、
前記冷暖房パネルは、建物内の部屋を形成する壁面のうち、建物の外壁の前記部屋側を向く壁面に沿って配置され、
前記床冷暖房装置は、前記部屋の床面積の６０％以上の領域に配置されており、
さらに、前記冷暖房パネルおよび前記床冷暖房装置は、
暖房時において、前記冷暖房パネルの温度が、前記床冷暖房装置の温度より高くなるように、
冷房時において、前記冷暖房パネルの温度が、前記床冷暖房装置の温度より低くなるように温度制御されていることを特徴とする冷暖房システム。
【請求項２】
請求項１に記載の冷暖房システムにおいて、
前記床冷暖房装置が配置された前記領域の外側に、前記冷暖房パネルが配置されていることを特徴とする冷暖房システム。
【請求項３】
請求項１または２に記載の冷暖房システムにおいて、
複数の前記冷暖房パネルは、それらの放熱面が対向しないようにして、配置されていることを特徴とする冷暖房システム。
【請求項４】
請求項１〜３のいずれか一項に記載の冷暖房システムにおいて、
前記部屋に隣接して、玄関が配置されており、この玄関の玄関土間の下に別の床冷暖房装置が配置されていることを特徴とする冷暖房システム。
【発明の詳細な説明】
【技術分野】
【０００１】
本発明は、冷暖房システムに関する。
【背景技術】
【０００２】
熱放射パネルを利用した冷暖房システムの一例として特許文献１に記載のものが知られている。この冷暖房システムは、多数の管部材を備えて構成された冷暖房パネル（熱放射パネル）と、この冷暖房パネルの内部に高温あるいは低温の流体を流通させる流体供給装置とを備えたものである。そして、冷暖房パネルは、例えばリビングルームと階段スペースとを仕切る位置や、トイレ室と洗面スペースとを仕切る位置に設けたり、冷暖房パネルの幅方向一端側をリビングルームの壁面に回動可能な状態で取り付け、リビングルームと食堂とを仕切る位置と、リビングルームの壁面側との間を回動可能となるようにして設けている。
このような冷暖房システムでは、夏季には、流体供給装置から冷暖房パネルに冷水を流通させることによって、当該冷暖房パネルが放射冷房パネルとして機能し、冬季には、流体供給装置から冷暖房パネルに温水を流通させることによって、当該冷暖房パネルが放射暖房パネルとして機能するようになっている。
【先行技術文献】
【特許文献】
【０００３】
【特許文献１】特開２００８−１２１９０７号公報
【発明の概要】
【発明が解決しようとする課題】
【０００４】
ところで、冬季における冷熱や夏季における温熱は、外壁やこの外壁に取り付けられた窓等から部屋に入ってくるが、上記従来の冷暖房システムでは、冷暖房パネルを、例えばリビングルームと階段スペースとを仕切る位置やリビングルームと食堂とを仕切る位置等に配置しているので、部屋の冷暖房を効果的に行い難いという問題がある。
一方、冷暖房パネルを外壁の内壁面に沿って配置すると、外壁や窓等から部屋に入ってくる冷熱や温熱をある程度暖めたり、冷やしたりできるが、部屋の中央部の冷暖房を効果的に行い難いという問題がある。
【０００５】
本発明は上記事情に鑑みてなされたもので、部屋全体を効果的に冷暖房できる冷暖房システムを提供することを課題としている。
【課題を解決するための手段】
【０００６】
上記課題を解決するために、請求項１に記載の発明は、例えば図１〜図４に示すように、内部に高温あるいは低温の流体を流通させる管部材２２を備え、ほぼ鉛直に配置される冷暖房パネル１２と、
内部に高温あるいは低温の流体を流通させる管部材２６を備え、床材の下に配置される床冷暖房装置２５とを備えた冷暖房システムであって、
前記冷暖房パネル１２は、建物内の部屋２を形成する壁面のうち、建物１の外壁１ａ〜１ｃの前記部屋２側を向く壁面２ａ〜２ｄに沿って配置され、
前記床冷暖房装置２５は、前記部屋２の床面積の６０％以上の領域Ｓ１,Ｓ２に配置されており、
さらに、前記冷暖房パネル１２および前記床冷暖房装置２５は、
暖房時において、前記冷暖房パネル１２の温度が、前記床冷暖房装置２５の温度より高くなるように、
冷房時において、前記冷暖房パネル１２の温度が、前記床冷暖房装置２５の温度より低くなるように温度制御されていることを特徴とする。
【０００７】
請求項１に記載の発明によれば、冷暖房パネル１２が、建物１の外壁１ａ〜１ｃの部屋２側を向く壁面２ａ〜２ｄに沿って配置されているので、外壁１ａ〜１ｃやこの外壁１ａ〜１ｃに設けられた窓等から部屋２に入ってくる冷熱または温熱を効果的に暖めまたは冷やすことができるともに部屋２の内側に向けて熱放射でき、さらに、床冷暖房装置２５が、部屋２の床面積の６０％以上の領域Ｓ１,Ｓ２に配置されているので、部屋全体を効果的に冷暖房できる。
また、冷暖房パネル１２および床冷暖房装置２５の双方とも管部材２２,２６に高温あるいは低温の流体を流通させる構成となっているので、流体供給装置３０を共通化できるという利点もある。
そして、暖房時において、冷暖房パネル１２の温度が、床冷暖房装置２５の温度より高くなるので、外壁の内側や窓の近傍の暖房を効果的に行える。
また、冷房時において、冷暖房パネル１２の温度が、床冷暖房装置２５の温度より低くなるので、外壁の内側や窓の近傍の冷房を効果的に行えるとともに、床が結露し難くなる。
【０００８】
請求項２に記載の発明は、請求項１に記載の冷暖房システムにおいて、
前記床冷暖房装置２５が配置された領域Ｓ１,Ｓ２の外側に、前記冷暖房パネル１２が配置されていることを特徴とする。
【０００９】
請求項２に記載の発明によれば、床冷暖房装置２５が配置された領域Ｓ１,Ｓ２の外側に、冷暖房パネル１２が配置されているので、床冷暖房装置２５の領域Ｓ１,Ｓ２の外側を冷暖房パネル１２によって効果的に冷暖房できる。
【００１０】
請求項３に記載の発明は、請求項１または２に記載の冷暖房システムにおいて、
複数の前記冷暖房パネル１２は、それらの放熱面１２ａが対向しないようにして、配置されていることを特徴とする。
【００１１】
請求項３に記載の発明によれば、複数の冷暖房パネル１２が、それらの放熱面１２ａが対向しないようにして、配置されているので、冷暖房パネル１２の放熱面１２ａからの放射熱を部屋２に満遍なく行き渡らせることができる。
【００１４】
請求項４に記載の発明は、請求項１〜３のいずれか一項に記載の冷暖房システムにおいて、
前記部屋２に隣接して、玄関７が配置されており、この玄関７の玄関土間７ｂの下に別の床冷暖房装置２７が配置されていることを特徴とする。
【００１５】
請求項４に記載の発明によれば、玄関土間７ｂの下に別の床冷暖房装置２７が配置されているので、玄関７の温度が、部屋２の温度と外部の温度との間の値になり易く、その結果、外部、玄関７、部屋２を行き来する住人等に与えるヒートショックを小さくできる。
また、雪が付いた靴で帰宅した場合でも、玄関土間７ｂで靴を早期に乾燥させることができるという利点がある。
【発明の効果】
【００１６】
本発明によれば、冷暖房パネルが、建物の外壁の部屋側を向く壁面に沿って配置されているので、外壁やこの外壁に設けられた窓等から部屋に入ってくる冷熱または温熱を効果的に暖めまたは冷やすことができるともに部屋の内側に向けて熱放射でき、さらに、床冷暖房装置が、部屋の床面積の６０％以上の領域に配置されているので、部屋全体を効果的に冷暖房できる。
そして、暖房時において、冷暖房パネルの温度が、床冷暖房装置の温度より高くなるので、外壁の内側や窓の近傍の暖房を効果的に行える。
また、冷房時において、冷暖房パネルの温度が、床冷暖房装置の温度より低くなるので、外壁の内側や窓の近傍の冷房を効果的に行えるとともに、床が結露し難くなる。
【図面の簡単な説明】
【００１７】
【図１】本発明に係る冷暖房システムの一例を示すもので、当該冷暖房システムが設けられた建物の１階の平面図である。
【図２】同、側面図である。
【図３】同、正面図である。
【図４】同、冷暖房パネルの内部に高温あるいは低温の水を流通させる流体供給装置の概略構成を示す図である。
【図５】同、冷暖房パネルの内部に高温あるいは低温の水を流通させる他の流体供給装置の概略構成を示す図である。
【発明を実施するための形態】
【００１８】
以下、図面を参照して本発明に係る冷暖房システムの実施の形態について説明する。
図１は、本発明に係る冷房システムが設けられた建物１の１階の平面図である。この建物１は住宅であり、その１階には、リビングとしての部屋２、キッチン３、洗面室４、浴室５、トイレ６、玄関７が配置されている。
玄関７は部屋２に隣接して配置されており、玄関ホール７ａ、玄関土間７ｂ、玄関ポーチ７ｃを備えている。玄関ホール７ａと玄関土間７ｂは建物内にあり、玄関ポーチ７ｃは外部に位置している。
なお、キッチン３と洗面室４との間には、階段室が配置されており、この階段室に階段８と階段下収納９が設けられている。
また、階段室と部屋２との間には階段ホール１０が配置されており、この階段ホール１０と部屋２を仕切る壁１１に、部屋２への出入口が形成されている。
【００１９】
前記部屋２を形成する壁面のうち、建物の外壁の部屋２側を向く壁面２ａ〜２ｄに沿って冷暖房パネル１２がそれぞれ配置されている。
壁面２ａは建物の西側の外壁１ａの部屋２側を向く壁面であり、冷暖房パネル１２はこの壁面２ａとほぼ平行にかつ壁面２ａとの間に所定の隙間をもって配置されている。
壁面２ｂ,２ｃは建物の南側の外壁１ｂの部屋２側を向く壁面であり、冷暖房パネル１２,１２は壁面２ｂ,２ｃとほぼ平行にかつ壁面２ｂ,２ｃとの間に所定の隙間をもって配置されている。
壁面２ｄは建物の東側の外壁でかつ玄関ポーチ７ｃに面する外壁１ｃの部屋２側を向く壁面であり、冷暖房パネル１２はこの壁面２ｄとほぼ平行にかつ壁面２ｄとの間に所定の隙間をもって配置されている。
【００２０】
前記複数の冷暖房パネル１２は、それらの放熱面１２ａが対向しないようにして、配置されている。つまり、壁面２ａに沿って配置された冷暖房パネル１２の放熱面１２ａの前方には、他の壁面２ｂ,２ｃ,２ｄに沿ってそれぞれ配置された冷暖房パネル１２の放熱面１２ａは存在せず、壁面２ｂに沿って配置された冷暖房パネル１２の放熱面１２ａの前方には、他の壁面２ａ,２ｃ,２ｄに沿ってそれぞれ配置された冷暖房パネル１２の放熱面１２ａは存在していない。同様に、壁面２ｃに沿って配置された冷暖房パネル１２の放熱面１２ａの前方には、他の壁面２ａ,２ｂ,２ｄに沿ってそれぞれ配置された冷暖房パネル１２の放熱面１２ａは存在せず、壁面２ｄに沿って配置された冷暖房パネル１２の放熱面１２ａの前方には、他の壁面２ａ,２ｂ,２ｃに沿ってそれぞれ配置された冷暖房パネル１２の放熱面１２ａは存在していない。
また、トイレ６にも、冷暖房パネル１２が、トイレ６を形成する内壁面に沿って平行に、かつ内壁面と所定の間隔をもって配置されている。
【００２１】
前記冷暖房パネル１２は熱放射型のパネルであり、図２および図３に示すように、部屋２の床面から天井付近までの高さを有しているものや、それ以外にも、床面から窓の下辺部付近までの高さを有しているもの等、高さは適宜設定され、幅は前記壁面２ａ〜２ｄの幅に応じて適宜設定されている。
また、冷暖房パネル１２の下端部は、下端固定部材２０によって部屋２の床面に固定され、上端部は部屋２の天井付近の壁面に上端固定部材２１によって固定されている。
前記冷暖房パネル１２は、多数の管部材２２と、これら管部材２２の上端部に設けられた上部ヘッダ２３と、管部材２２の下端部に設けられた下部ヘッダ２４と備えている。
多数の管部材２２は、それぞれ、例えばアルミニウムなどの熱伝導性材料にて押出し成形によって形成されており、軸直交方向における断面形状が長方形状とされ、その両端部は開口している。
上部ヘッダ２３は管部材２２の並列方向に長尺な管状のものであり、この上部ヘッダ２３の左右両端部は閉塞されている。そして、この上部ヘッダ２３の下面に管部材２２の上端開口部が左右方向に所定間隔で接続され、これによって、管部材２２と上部ヘッダ２３とは連通している。
【００２２】
下部ヘッダ２４は、上部ヘッダ２３と平行に設けられており、この下部ヘッダ２４の左右両端部は閉塞されている。また、下部ヘッダ２４の長さ方向中央部には、隔壁２４ａが形成されており、隔壁２４ａより左側が左ヘッダ２４ｂ、隔壁２４ａより右側が右ヘッダ２４ｃとなっている。
左ヘッダ２４ｂの上面には、左半分に配置された管部材２２の下端開口部が左右方向に所定間隔で接続され、これによって、左半分の管部材２２と左ヘッダ２４ｂとは連通している。また、右ヘッダ２４ｃの上面には、右半分に配置された管部材２２の下端開口部が左右方向に所定間隔で接続され、これによって、右半分の管部材２２と右ヘッダ２４ｃとは連通している。左ヘッダ２４ｂには冷水や温水を供給する供給管２４ｄが接続され、右ヘッダ２４ｂには排出管２４ｅが接続されている。
なお、下部ヘッダ２４の下方には、冷房時に冷暖房パネル１２の表面に結露する水を受けるとともに外部に排出する図示しないドレンパンが下部ヘッダ２４の長手方向に沿って設けられている。
【００２３】
また、図１に示すように、前記部屋２の平面視における中央部には、床冷暖房装置２５が床材の下に配置されている。すなわち、床材の裏面（底面）には、図示しない溝が蛇行して形成されており、この溝に、内部に高温あるいは低温の流体を流通させる管部材２６がはめ込まれている。
そして、管部材２６の一方の端部開口から温水、熱水または冷水が流入して、管部材２６を流れたうえで、他方の端部開口から流出するようになっている。
また、床冷暖房装置２５は部屋２の中央部でかつ、当該部屋２の床面積の６０％以上の領域Ｓ１に配置されている。すなわち、図１において、二点鎖線で囲んだ平面視矩形状の領域Ｓ１は、矩形状の部屋２の床面積の６０％の面積を有し、かつ、その領域Ｓ１の平面視における中央部は部屋２の中央部と一致している。したがって、領域Ｓ１は部屋２の中央部で、かつ、当該部屋２の床面積の６０％の面積を有している。
そして、このような領域Ｓ１に前記床冷暖房装置２５の管部材２６が蛇行して配置されている。
また、床冷暖房装置２５が配置された領域Ｓ１の外側に、全ての冷暖房パネル１２が配置されている。
【００２４】
なお、床冷暖房装置２５は部屋２の中央部に、当該部屋２の床面積の少なくとも６０％以上の領域に配置されていればよく、好ましくは部屋２の床面積の８０％の領域Ｓ２に配置されているのが望ましい。例えば図１において、二点鎖線で囲んだ平面視矩形状の領域Ｓ２は、矩形状の部屋２の床面積の８０％の面積を有するので、この領域Ｓ２全体に床冷暖房装置２５の管部材２６を配置するのが望ましい。
このように、床冷暖房装置２５は、部屋２の床面積の６０％〜８０％の領域に配置するのが望ましく、さらには、この領域は部屋２の中央部に配置されるのが望ましいが、建物の南面から日差し等がよく差し込む部屋では、領域を若干北側にずらしてもよい。
【００２５】
また、前記玄関７の玄関土間７ｂの下には、別の床冷暖房装置２７が配置されている。この床冷暖房装置２７は、前記床冷暖房装置２５と同様の構成であり、管部材２８を玄関土間７ｂの仕上板の下面に形成された溝に蛇行してはめ込むことによって構成されている。なお、このような床冷暖房装置２７は、玄関土間７ｂの床面積の６０％〜８０％の領域Ｓ３に配置するのが望ましい。図１において、二点鎖線で囲んだ平面視矩形状の領域Ｓ３は、矩形状の玄関土間７ｂの床面積の６０％〜８０％の面積を有しているので、この領域Ｓ３に床冷暖房装置２７を配置するのが望ましい。
【００２６】
前記建物１の外側には、図１に示すように、流体供給装置３０が西側の外壁１ａの近傍に設けられている。この流体供給装置３０は、冷暖房パネル１２および床冷暖房装置２５,２７の内部に高温あるいは低温の水を流通させる装置であり、図４に示すように、配管３１と、ポンプＰ１,Ｐ２と、三方弁３４，３５と、燃料ボイラ３６と、ヒートポンプ３７とを備えて構成されている。
【００２７】
配管３１は、冷暖房パネル１２のそれぞれの供給管２４ｄに接続された配管３１ａと、冷暖房パネル１２のそれぞれの排出管２４ｅに接続された配管３１ｂと、床冷暖房装置２５,２７の一方の端部に接続された供給管に接続された配管３２ａと、床冷暖房装置２５,２７の他方の端部に接続された排出管に接続された配管３２ｂとを備えている。配管３１ｂ,３２ｂの基端部は三方弁３４に接続されており、この三方弁３４は接続管３１ｃ，３１ｄを介して燃料ボイラ３６およびヒートポンプ３７に接続されている。
一方、配管３１ａ,３２ａの基端部は三方弁３５に接続されており、この三方弁３５は接続管３１ｅ，３１ｆを介して燃料ボイラ３６およびヒートポンプ３７に接続されている。また、配管３１ａには流量制御弁４１が取り付けられており、配管３２ａには流量制御弁４２が取り付けられている。したがって、この流量制御弁４１,４２によって、冷暖房パネル１２と床冷暖房装置２５,２７に供給する水の流量を制御できるようになっている。
このような配管３１、多数の管部材２２、上部ヘッダ２３、下部ヘッダ２４によって、燃料ボイラ３６を経由する第１の閉経路３８と、ヒートポンプ３７を経由する第２の閉経路３９とが形成されている。
【００２８】
ポンプＰ１は、接続管３１ｃ上に設けられており、燃料ボイラ３６を使用する場合に駆動する。ポンプＰ２は、接続管３１ｆ上に設けられており、ヒートポンプ３７を使用する場合に駆動する。
燃料ボイラ３６は、灯油等の燃料を燃焼させることにより配管３１内の水を加熱する装置である。この燃料ボイラ３６は、外気温度がヒートポンプ３７が十分に能力を発揮する所定温度未満、すなわち例えば０℃未満の場合に駆動する。
ヒートポンプ３７は、圧縮器、膨張弁および熱交換器を備えており、圧縮器にて冷媒を圧縮した際の発熱現象、および膨張弁にて冷媒を膨張させた際の吸熱現象を利用して、熱交換器を介して配管３１内の水を加熱・冷却する装置である。
このようなヒートポンプ３７は、外気温度がヒートポンプ３７が十分に能力を発揮する所定温度以上である場合に駆動する。すなわち、例えば外気温度が０〜２５℃の場合には配管３１内の水を加熱し、外気温度が２５℃を超える場合には配管３１内の水を冷却するように駆動する。なお、ヒートポンプ３７中の冷媒には代替フロンやＣＯ２ガス等を使用することができる。また、ヒートポンプ３７が十分に能力を発揮する所定温度は、０℃に限定されるものではなく、冷暖房パネルの大きさや設置場所、ヒートポンプ３７の能力等に応じて適宜設定されるものである。
【００２９】
上記のような流体供給装置３０は、夏季には冷暖房パネル１２および床冷暖房装置２５の内部に冷水を流通させる。すなわち、三方弁３４を配管３１ｂ,３２ｂと接続管３１ｄとを接続する状態に開き、三方弁３５を配管３１ａ,３２ａと接続管３１ｆとを接続する状態に開く。つまり、ヒートポンプ３７を経由する第２の閉経路３９を形成する。そして、ヒートポンプ３７により配管３１内の水を冷却させると共に、図中矢印Ａで示す流れが形成されるようにポンプＰ２を駆動する。これにより、冷水は配管３１ａを通って供給管２４ｄから下部ヘッダ２４の左ヘッダ２４ｂを経由して、冷暖房パネル１２の多数の管部材２２のうち、左半分の管部材２２の内部を下から上へ向けて流通し、さらに、上部ヘッダ２３を経由して、右半分の管部材２２の内部を上から下へ向けて流通し、これによって部屋２が冷却される。
また、冷水は供給管から配管３２ａを通って床冷暖房装置２５の管部材２６を一方の端部から他方の端部へ向けて流通し、これによって、部屋２の床が冷却される。この際、前記流量制御弁４１,４２によって冷水の流量が制御され、これによって、冷暖房パネル１２の温度が、床冷暖房装置２５の温度より低くなるように温度制御される。例えば、冷房時には、冷暖房パネル１２の温度が５℃〜１０℃〜２５℃となるように制御される一方で、床冷暖房装置２５の温度が２２℃〜２５℃〜２８℃となるように制御される。
【００３０】
一方、冬季には、上記と同様にして、第２の閉経路３９を形成し、ヒートポンプ３７により配管３１内の水を加熱させると共に、図中矢印Ａで示す流れが形成されるようにポンプＰ２を駆動する。これにより、温水は冷水の場合と同様にして流通し、これによって部屋２と部屋２の床が暖められる。
この際、前記流量制御弁４１,４２によって温水の流量が制御され、これによって、冷暖房パネル１２の温度が、床冷暖房装置２５,２７の温度より高くなるように温度制御される。例えば、暖房時には、冷暖房パネル１２の温度が３０℃〜３５℃〜４０℃となるように制御される一方で、床冷暖房装置２５の温度が２５℃〜３０℃〜３５℃となり、床冷暖房装置２７の温度が２０℃〜２５℃〜３０℃となるように制御される。
【００３１】
また、冬季のうち外気温度が例えば０℃未満となる厳寒期には、冷暖房パネル１２および床冷暖房装置２５,２７の内部に熱水を流通させる。すなわち、三方弁３４を配管３１ｂ,３２ｂと接続管３１ｃとを接続する状態に開き、三方弁３５を配管３１ａ,３２ａと接続管３１ｅとを接続する状態に開く。つまり、燃料ボイラ３６を経由する第１の閉経路３８を形成する。そして、燃料ボイラ３６により配管３１内の水を加熱させると共に、図中矢印Ｂで示す流れが形成されるようにポンプＰ１を駆動する。これにより、熱水は配管３１ａを通って供給管２４ｄから下部ヘッダ２４の左ヘッダ２４ｂを経由して、冷暖房パネル１２の多数の管部材２２のうち、左半分の管部材２２の内部を下から上へ向けて流通し、さらに、上部ヘッダ２３を経由して、右半分の管部材２２の内部を上から下へ向けて流通し、これによって部屋２がさらに高い温度で暖められるようになる。
また、熱水は供給管から配管３２ａを通って床冷暖房装置２５,２７の管部材２６を一方の端部から他方の端部へ向けて流通し、これによって、部屋２の床がさらに高い温度で暖められるようになる。
この場合も、前記流量制御弁４１,４２によって温水の流量が制御され、これによって、冷暖房パネル１２の温度が、床冷暖房装置２５,２７の温度より高くなるように温度制御される。例えば、暖房時には、冷暖房パネル１２の温度が３０℃〜３５℃〜４０℃となるように制御される一方で、床冷暖房装置２５の温度が２５℃〜３０℃〜３５℃となり、床冷暖房装置２７の温度が２０℃〜２５℃〜３０℃となるように制御される。
【００３２】
なお、前記流体供給装置３０は、燃料ボイラ３６と、ヒートポンプ３７とを備えているが、燃料ボイラ３６を備えず、ヒートポンプ３７のみを備える構成としてもよい。
この流体供給装置３０は、図５に示すように、配管３１と、ポンプＰ２と、ヒートポンプ３７とを備えて構成されている。
【００３３】
配管３１は、冷暖房パネル１２のそれぞれの供給管２４ｄに接続された配管３１ａと、冷暖房パネル１２のそれぞれの排出管２４ｅに接続された配管３１ｂと、床冷暖房装置２５,２７の一方の端部に接続された供給管に接続された配管３２ａと、床冷暖房装置２５,２７の他方の端部に接続された排出管に接続された配管３２ｂとを備えている。配管３１ｂ,３２ｂの基端部および配管３１ａ，３１ｂの基端部はヒートポンプ３７に接続されている。
また、配管３１ａには流量制御弁４１が取り付けられており、配管３２ａには流量制御弁４２が取り付けられている。したがって、この流量制御弁４１,４２によって、冷暖房パネル１２と床冷暖房装置２５,２７に供給する水の流量を制御できるようになっている。
【００３４】
上記のような流体供給装置３０は、夏季には冷暖房パネル１２および床冷暖房装置２５の内部に冷水を流通させる。すなわち、ヒートポンプ３７により配管３１内の水を冷却させると共に、図中矢印Ａで示す流れが形成されるようにポンプＰ２を駆動する。これにより、冷水は配管３１ａを通って供給管２４ｄから下部ヘッダ２４の左ヘッダ２４ｂを経由して、冷暖房パネル１２の多数の管部材２２のうち、左半分の管部材２２の内部を下から上へ向けて流通し、さらに、上部ヘッダ２３を経由して、右半分の管部材２２の内部を上から下へ向けて流通し、これによって部屋２が冷却される。
また、冷水は供給管から配管３２ａを通って床冷暖房装置２５の管部材２６を一方の端部から他方の端部へ向けて流通し、これによって、部屋２の床が冷却される。この際、前記流量制御弁４１,４２によって冷水の流量が制御され、これによって、冷暖房パネル１２の温度が、床冷暖房装置２５の温度より低くなるように温度制御される。例えば、冷房時には、冷暖房パネル１２の温度が５℃〜１０℃〜２５℃となるように制御される一方で、床冷暖房装置２５の温度が２２℃〜２５℃〜２８℃となるように制御される。
【００３５】
一方、冬季には、ヒートポンプ３７により配管３１内の水を加熱させると共に、図中矢印Ａで示す流れが形成されるようにポンプＰ２を駆動する。これにより、温水は冷水の場合と同様にして流通し、これによって部屋２と部屋２の床が暖められる。
この際、前記流量制御弁４１,４２によって温水の流量が制御され、これによって、冷暖房パネル１２の温度が、床冷暖房装置２５,２７の温度より高くなるように温度制御される。例えば、暖房時には、冷暖房パネル１２の温度が３０℃〜３５℃〜４０℃となるように制御される一方で、床冷暖房装置２５の温度が２５℃〜３０℃〜３５℃となり、床冷暖房装置２７の温度が２０℃〜２５℃〜３０℃となるように制御される。
【００３６】
本実施の形態によれば、冷暖房パネル１２が、建物１の外壁１ａ〜１ｃの部屋２側を向く壁面２ａ〜２ｄに沿って配置されているので、外壁１ａ〜１ｃやこの外壁１ａ〜１ｃに設けられた窓等から部屋２に入ってくる冷熱または温熱を効果的に暖めまたは冷やすことができるともに部屋２の内側に向けて熱放射でき、さらに、床冷暖房装置２５が、部屋２の床面積の６０％以上の領域Ｓ１,Ｓ２に配置されているので、部屋全体を効果的に冷暖房できる。
また、冷暖房パネル１２および床冷暖房装置２５の双方とも管部材２２,２６に高温あるいは低温の流体を流通させる構成となっているので、流体供給装置３０を共通化できるという利点もある。
さらに、床冷暖房装置２５が配置された領域Ｓ１,Ｓ２の外側に、冷暖房パネル１２が配置されているので、床冷暖房装置２５の領域Ｓ１,Ｓ２の外側を冷暖房パネル１２によって効果的に冷暖房できる。
【００３７】
加えて、複数の冷暖房パネル１２は、それらの放熱面１２ａが対向しないようにして、配置されているので、冷暖房パネル１２の放熱面１２ａからの放射熱を部屋２に満遍なく行き渡らせることができる。
また、冷暖房パネル１２および床冷暖房装置２５,２７は、暖房時において、冷暖房パネル１２の温度が、床冷暖房装置２５,２７の温度より高くなるように、冷房時において、冷暖房パネル１２の温度が、床冷暖房装置２５,２７の温度より低くなるように温度制御されているので、暖房時において、冷暖房パネルの温度が、床冷暖房装置の温度より高くなって、外壁１ａ〜１ｃの内側や窓の近傍の暖房を効果的に行える。
また、冷房時において、冷暖房パネルの温度が、床冷暖房装置の温度より低くなるので、外壁１ａ〜１ｃの内側や窓の近傍の冷房を効果的に行えるとともに、床が結露し難くなる。
また、玄関土間７ｂの下に別の床冷暖房装置２７が配置されているので、玄関７の温度が、部屋２の温度と外部の温度との間の値になり易く、その結果、外部、玄関７、部屋２を行き来する住人等に与えるヒートショックを小さくできる。
【符号の説明】
【００３８】
１  建物
１ａ〜１ｃ  外壁
２  部屋
２ａ〜２ｄ  壁面
７  玄関
７ｂ  玄関土間
１２  冷暖房パネル
１２ａ  放熱面
２２  管部材
２５  床冷暖房装置
２６  管部材
２７  他の床冷暖房装置
Ｓ１,Ｓ２  領域
【図１】
0005792111.tif 000002
【図２】
0005792111.tif 000003
【図３】
0005792111.tif 000004
【図４】
0005792111.tif 000005
【図５】
0005792111.tif 000006